(57)【要約】      （修正有）【課題】全周に形成された雄ネジ部を有する安価なロッド部材を含むネジ機構によりファイル対象物を強力にクランプ可能で且つファイル対象物の一端部を位置決め部材の受止部で受け止める構成のバインダー用金具及びバインダーを提供する。【解決手段】ベース板４に立設されたロッド部材５に押圧部材６が可動に装着され、操作用ナット部材７で押圧部材６を押圧駆動して、押圧部材６の押圧面２１でファイル対象物Ｐが押圧される。押圧部材６が最高位置のときの押圧面２１と同高位置まで延びるようにベース部材４に立設され且つロッド部材５と実質的に別体に構成された位置決め部材９が設けられ、この位置決め部材９がファイル対象物Ｐの左端部がロッド部材５の表面に達する前にファイル対象物Ｐの左端部を受け止める上下方向に平滑な受止部４０を有する。【選択図】図２
0003144270.tif 000002
【実用新案登録請求の範囲】
【請求項１】
書類等のファイル対象物の一端部を押圧して綴じるバインダー用金具において、
ファイル対象物を着脱する際の姿勢において水平なベース板と、
前記ベース板に垂直に立設されたロッド部材であって、その全長又は略全長に亙ってその全周に形成された雄ネジ部を有するロッド部材と、
前記ロッド部材が摺動自在に挿通する被案内孔とファイル対象物を押える為の押圧面を有する押圧部材であって、前記ロッド部材と被案内孔の案内作用により上下方向に平行移動可能に案内されると共に少なくともファイル対象物を押圧する状態では前記押圧面とロッド部材とのなす角度を略直角に保持する押圧部材と、
前記押圧部材の上側においてロッド部材の雄ネジ部に螺合され且つ手動で回転操作することにより前記押圧部材をベース板の方へ押圧駆動可能な操作用ナット部材と、
少なくとも前記押圧部材が最高位置のときの前記押圧面と同高位置まで延びるように前記ベース部材に立設され且つ前記ロッド部材と実質的に別体に構成された位置決め部材であって、ファイル対象物の一端部が前記ロッド部材の表面に達する前に前記ファイル対象物の一端部を受け止める上下方向に平滑な受止部を有する位置決め部材と、
を備えたことを特徴とするバインダー用金具。
【請求項２】
前記ロッド部材として所定間隔あけて配置された１対のロッド部材が設けられ、
前記押圧部材として１対のロッド部材に対応する１対の押圧部材が設けられ、
前記操作用ナット部材として１対のロッド部材の雄ネジ部に夫々螺合された１対の操作用ナット部材が設けられたことを特徴とする請求項１に記載のバインダー用金具。
【請求項３】
前記押圧部材と操作用ナット部材の一方に固着されたマグネットであって、前記押圧部材と操作用ナット部材の他方に設けられた磁性体製の被吸着部に吸着可能なマグネットを備えたことを特徴とする請求項１又は２に記載のバインダー用金具。
【請求項４】
書類等のファイル対象物の一端部を押圧して綴じるバインダーにおいて、
ファイル対象物を着脱する際の姿勢において水平な裏側表紙を備えた表紙部材と、
請求項１〜３の何れかに記載のバインダー用金具とを備え、
このバインダー用金具のベース板が前記表紙部材の裏側表紙の内面に固定されたことを特徴とするバインダー。
【考案の詳細な説明】
【技術分野】
【０００１】
本考案は、ファイル対象物の一端部を押圧して綴じるバインダー用金具及びバインダーに関し、特にネジ機構を有効活用し、ファイル対象物の一端部を強力に簡単に押圧可能にしたものに関する。
【背景技術】
【０００２】
従来、バインダーに装備されるバインダー用金具には、書類等のファイル対象物の端部に形成した２つの穴に、２つのロッドや可撓性のバンド部材を通してファイルする２穴式バインダー用金具、ファイル対象物の端部に穴を形成することなくファイル対象物の端部を押圧してクランプするようにした押圧式バインダー用金具とがある。本考案は押圧式バインダー用金具及びこのバインダー用金具を組込んだバインダーに関するものである。２穴式バインダー用金具の場合、ファイル対象物の端部に１対の穴を形成するのが煩わしく、ファイル対象物が穴で傷つけられ、ファイル対象物の着脱も面倒である。
【０００３】
従来、バインダー（一般にファイルとも言う）の押圧式バインダー用金具として、バインダーの表紙の内面に固定されたベース板、押え板、ベース板に押え板を連結する平行リンク機構、レバー部材、平行リンク機構とレバー部材に連結された捩じりバネ等からなるバインダー用金具が広く実用化されている。この種のバインダー用金具では、最大３０ｍｍ位の厚さのファイル対象物まではファイル可能である。しかし、３０ｍｍ以上の厚さのファイル対象物をファイル可能にする為には、平行リンク機構、レバー部材、捩じりバネなどを大型化しなければならず、製作費も高価になる。
【０００４】
そこで、本願出願人は、特許文献１に示すようなバインダー用金具を提案し実用化しつつある。このバインダー用金具では、雄ネジ部を形成した１対のロッド部材がベース板に垂直に立設され、１対の押圧部材が１対のロッド部材に可動に装着されている。押圧部材は、ロッド部材とのなす角度を直角に維持したまま昇降可能である。
１対の操作用ナット部材が１対の押圧部材の上側において１対のロッド部材の雄ネジ部に螺合されている。操作用ナット部材を手動で回転操作して押圧部材をベース板の方へ押圧駆動し、その押圧部材によりファイル対象物をベース板に強力に押えることができる。
【０００５】
前記のロッド部材の水平断面は略正方形に形成され、このロッド部材が押圧部材に形成された角孔を摺動自在に挿通し、このロッド部材の４つの略円弧状の角部に操作用ナット部材が螺合する雄ネジ部が形成されている。ロッド部材の全長に亙ってその側面に上下方向に平滑な案内面が形成され、この案内面でファイル対象物の一端部を受け止めて位置決めすることができる。
【特許文献１】特開２００７−１２５７２１号公報
【考案の開示】
【考案が解決しようとする課題】
【０００６】
特許文献１に示すバインダー用金具では、ネジ機構によりファイル対象物の一端部を強力に簡単に押圧（クランプ）することができる。また、ロッド部材の案内面でファイル対象物の一端部を受け止めて位置決めすることができる。しかし、ロッド部材の角部に信頼性のある雄ネジ部を転造等の方法で成形することができないため、機械加工等で形成せざる得ないので、その製作コストが非常に高価になり、ロッド部材の製作費、バインダー用金具の製作費が非常に高価になる。
【０００７】
一方、特許文献１には、水平断面が円形がその全周に雄ネジ部を形成したロッド部材を採用したバインダー用金具が開示されている。このバインダー用金具では、ロッド部材でファイル対象物の一端部を受け止めて位置決めする構造になっている。この構造では、ロッド部材の雄ネジ部でファイル対象物の端部を受け止めた状態で、操作用ナット部材により押圧部材が押圧駆動され、ファイル対象物が圧縮されるため、雄ネジ部でファイル対象物の端部が損傷するという問題がある。
【０００８】
さらに、ファイル対象物をベース板と押圧部材間に装着する際に、ベース板と押圧部材間の間隔がファイル対象物の一端部の厚さよりも大きくなるように、操作用ナット部材を回転操作して高さ調節した後、１対の押圧部材を手で持ち上げておく必要があるため、ファイル対象物をファイルする作業の能率が低下する。
【０００９】
本考案の目的は、全周に形成された雄ネジ部を有する安価なロッド部材を含むネジ機構によりファイル対象物を強力にクランプ可能で且つファイル対象物の一端部を位置決め部材の受止部で受け止める構成のバインダー用金具及びバインダーを提供することである。
【課題を解決するための手段】
【００１０】
請求項１のバインダー用金具は、書類等のファイル対象物の一端部を押圧して綴じるバインダー用金具において、ファイル対象物を着脱する際の姿勢において水平なベース板と、前記ベース板に垂直に立設されたロッド部材であって、その全長又は略全長に亙ってその全周に形成された雄ネジ部を有するロッド部材と、前記ロッド部材が摺動自在に挿通する被案内孔とファイル対象物を押える為の押圧面を有する押圧部材であって、前記ロッド部材と被案内孔の案内作用により上下方向に平行移動可能に案内されると共に少なくともファイル対象物を押圧する状態では前記押圧面とロッド部材とのなす角度を略直角に保持する押圧部材と、前記押圧部材の上側においてロッド部材の雄ネジ部に螺合され且つ手動で回転操作することにより前記押圧部材をベース板の方へ押圧駆動可能な操作用ナット部材と、少なくとも前記押圧部材が最高位置のときの前記押圧面と同高位置まで延びるように前記ベース部材に立設され且つ前記ロッド部材と実質的に別体に構成された位置決め部材であって、ファイル対象物の一端部が前記ロッド部材の表面に達する前に前記ファイル対象物の一端部を受け止める上下方向に平滑な受止部を有する位置決め部材とを備えたものである。
【００１１】
このバインダー用金具において、ファイル対象物を装着して押圧する際には、ファイル対象物の一端部を位置決め部材の受止部で受け止めて位置決めしつつ、ベース板と押圧部材の押圧面とで挟み、操作用ナット部材を手動で回転操作することで、押圧部材をベース板の方へ押圧駆動してファイル対象物をクランプ状態にする。ファイル対象物を取出す際に、操作用ナット部材を緩めてから所望のファイル対象物を取り出し、その後上記と同様にしてファイル対象物をクランプ状態にする。尚、操作用ナット部材に押圧荷重が作用してない状態では、操作用ナット部材を手動により急速回転させることができる。
【００１２】
請求項２のバインダー用金具は、請求項１において、前記ロッド部材として所定間隔あけて配置された１対のロッド部材が設けられ、前記押圧部材として１対のロッド部材に対応する１対の押圧部材が設けられ、前記操作用ナット部材として１対のロッド部材の雄ネジ部に夫々螺合された１対の操作用ナット部材が設けられたものである。
【００１３】
請求項３のバインダー用金具は、請求項１又は２において、前記押圧部材と操作用ナット部材の一方に固着されたマグネットであって、前記押圧部材と操作用ナット部材の他方に設けられた磁性体製の被吸着部に吸着可能なマグネットを備えたものである。
【００１４】
請求項４のバインダーは、書類等のファイル対象物の一端部を押圧して綴じるバインダーにおいて、ファイル対象物を着脱する際の姿勢において水平な裏側表紙を備えた表紙部材と、請求項１〜３の何れかに記載のバインダー用金具とを備え、このバインダー用金具のベース板が前記表紙部材の裏側表紙の内面に固定されたものである。
【００１５】
このバインダーは表紙部材とバインダー用金具とを有し、この表紙部材はファイル対象物を着脱する際の姿勢において水平な裏側表紙を備え、この裏側表紙の内面にベース部材が固定され、このベース部材にロッド部材、押圧部材、操作用ナット部材、位置決め部材が装備されている。このバインダーにより、ファイル対象物をクランプしたり、クランプ解除したりする場合の作用は、請求項１と同様であるので、その説明を省略する。
【考案の効果】
【００１６】
請求項１の考案によれば、ファイル対象物を装着する際は、ファイル対象物の一端部を押圧部材の下に装着してから、ファイル対象物の一端部を位置決め部材の受止部で受け止めて位置決めしつつ、操作用ナット部材を手動で急回転させて押圧部材に当接させ、その後操作用ナット部材を手動で回転駆動することでファイル対象物を強力にクランプ状態にすることができる。ファイル対象物を取り外す際は、操作用ナット部材を手動で少し緩めてから、ファイル対象物を簡単に取り外すことができ、その後前記と同様に操作用ナット部材を手動で回転駆動することでファイル対象物を強力にクランプ状態にすることができる。
【００１７】
前記受止部を有する位置決め部材を設け、ファイル対象物の一端部がロッド部材の表面に達する前にファイル対象物の一端部を受止部で受け止めるように構成したため、ロッド部材でファイル対象物の一端部を受け止める必要がない。それ故、このロッド部材として水平断面が円形でその全周に雄ネジ部を形成したロッド部材を採用することができる。つまり、ロッド部材の全周に雄ネジ部を形成しても、その雄ネジ部によってファイル対象物の一端部が損傷するという問題が解消する。しかも、ロッド部材として既存の一般的な安価なボルト等を適用することが可能となり、ロッド部材の製作費、バインダー用金具の製作費を安価にすることができる。
【００１８】
請求項２の考案によれば、１対のロッド部材、１つの押圧部材、１対の操作用ナット部材を装備したので、押圧部材でファイル対象物を押圧する面圧を高めて、クランプ性能を高めることができ、押圧部材を全体として小型化することができる。
【００１９】
請求項３の考案によれば、押圧部材と操作用ナット部材の一方にマグネットを固着し、そのマグネットが押圧部材と操作用ナット部材の他方に設けられた磁性体製の被吸着部に吸着可能にしたので、ファイル対象物をベース板と押圧部材間に装着する際、或いは、ファイル対象物をベース板と押圧部材間から取出す際、ベース板と押圧部材間の間隔がファイル対象物の一端部の厚さよりも大きくなるように、操作用ナット部材を回転操作して高さ調節し、マグネットによって操作用ナット部材に押圧部材を保持することができるので、ファイル対象物の着脱を簡単に能率的に行うことができる。
【００２０】
請求項４の考案（バインダー）は、裏側表紙を備えた表紙部材に、請求項１〜３の何れかに記載のバインダー用金具を設けたものであるので、基本的に請求項１〜３の考案の何れかと同様の効果を奏する。
【考案を実施するための最良の形態】
【００２１】
本考案のバインダー用金具は、書類等のファイル対象物の一端部を押圧して綴じるバインダー用金具において、ファイル対象物を着脱する際の姿勢において水平なベース板、ベース板に垂直に立設されたロッド部材であって、その全長又は略全長に亙ってその全周に形成された雄ネジ部を有するロッド部材と、ロッド部材が摺動自在に挿通する被案内孔とファイル対象物を押える為の押圧面を有する押圧部材、少なくとも押圧部材が最高位置のときの押圧面と同高位置まで延びるようにベース部材に立設され且つロッド部材と実質的に別体に構成された位置決め部材を備えている。
【００２２】
押圧部材は、ロッド部材と被案内孔の案内作用により上下方向に平行移動可能で且つファイル対象物を押圧する状態では押圧面とロッド部材とのなす角度をほぼ直角に保持し、位置決め部材は、ファイル対象物の一端部がロッド部材の表面に達する前にファイル対象物の一端部を受け止める上下方向に平滑な受止部を有する。
【００２３】
本考案のバインダーは、前記のバインダー用金具を、表紙部材の裏側表紙の内面に装備したものである。以下、本考案の実施例について説明する。尚、図１〜図３に矢印で示すように上方と前方と左方を定義して説明する。
【実施例】
【００２４】
図１〜図４に示すように、バインダー１は、Ａ４版サイズに対応する表紙部材２とバインダー用金具３とを備えている。表紙部材２は、表側表紙２ａと裏側表紙２ｂと鉛直な背表紙２ｃを有し、硬質の厚紙製または合成樹脂製のものである。裏側表紙２ｂは、書類等のファイル対象物Ｐを着脱する際の姿勢において略水平であり、バインダー用金具３のベース板４が裏側表紙２ｂの内面に固定されている。本実施例のバインダー用金具３は、表紙部材２を有するバインダー１に装備して使用されるものであるが、バインダー用金具３単独でも使用可能なものである。バインダー用金具３は、ベース板４、１対のロッド部材５、１対の押圧部材６、１対の操作用ナット部材７、１対のマグネット８、位置決め部材９等を備えている。尚、Ａ４版サイズのファイル対象物は一例であり、バインダー１のサイズはＡ４版に限定されるものではない。
【００２５】
ベース板４は、ファイル対象物Ｐの一端部（左端部）に沿う前後方向に細長い長方形の金属製の板部材であり、例えば、厚さ０．６〜０．８ｍｍ程度のメッキ鋼板で構成されている。但し、ステンレス鋼板や、マグネシウム合金やチタン合金板等でベース板４を構成してもよい。ベース板４のサイズは例えば３０ｍｍ×１００ｍｍである。表紙部材２の裏側表紙２ｂとベース板４はファイル対象物Ｐを着脱する際の姿勢において水平であり、ベース板４は裏側表紙２ｂの左端部に複数のリベットで固定されている。
【００２６】
１対のロッド部材５は、ベース板４の長さ方向（前後方向）に所定間隔（例えば、６０〜７０ｍｍ程度）あけて配置され、これらロッド部材５（例えば長さ５０〜８０ｍｍ）は、ベース板４に垂直に立設されている。このロッド部材５は鋼製のものである。但し、ロッド部材５は水平断面が円形（例えば直径５〜７ｍｍ程度）に形成され、ロッド部材５の全長又は略全長に亙ってその全周に雄ネジ部１０が形成されている。
【００２７】
ロッド部材５は、転造にて安価に製作される市販の量産品のビス部材で構成されている。ロッド部材５の下端部分には皿形のビス頭部が形成され、そのビス頭部の平らな下端面がベース板４の上面に溶接されている。但し、ロッド部材５は、カシメによりベース板４、又はベース板４及び裏表紙２ｂに固定してもよい。
【００２８】
１対の押圧部材６は１対のロッド部材５に夫々対応する同じ構造のものである。押圧部材６は例えば厚さ１．５ｍｍ程度のメッキ鋼板で構成されたものである。但し、他の金属部材で押圧部材６を構成してもよい。押圧部材６の平面視のサイズは、例えば３０ｍｍ×３０ｍｍである。押圧部材６は、ロッド部材５が摺動自在に挿通する被案内孔２０と、ファイル対象物Ｐを押える為の平面状の押圧面２１を備えている。押圧部材６は、ロッド部材５と被案内孔２０の案内作用により上下方向に平行移動可能である。
【００２９】
押圧部材６のうちのその中心よりも左側の部分に、上方へ鉛直に突出する筒部２２が形成され、その筒部２２に被案内孔２０が形成され、筒部２２の上端部が操作用ナット部材７で押圧される。押圧部材６のうち筒部２２よりも右側の部分の下面に水平な押圧面２１が形成されている。前記の筒部２２の上下長が約４〜６ｍｍと大きいため、ロッド部材５と被案内孔２０により前記の案内作用が得られ、本実施例のバインダー用金具３では、押圧面２１とロッド部材５とのなす角度が常に直角又はほぼ直角に保持される。但し、少なくともファイル対象物Ｐを押圧する状態において、押圧面２１とロッド部材５とのなす角度を直角又はほぼ直角に保持するように構成してもよい。
【００３０】
１対の操作用ナット部材７は１対の押圧部材６の上側において１対のロッド部材５に夫々螺合され、操作用ナット部材７を手動で回転操作することにより、押圧部材６をベース板４の方（下方）へ押圧駆動可能になっている。操作用ナット部材７は、例えば、合成樹脂製の操作部材３０と、この操作部材３０の下面側の凹部に嵌合状態に固着された鋼製のナット部材３１であってロッド部材５に螺合するナット部材３１とで構成されている。
【００３１】
操作部材３０は、平面視にて正方形で所定の厚さ（例えば５〜７ｍｍ程度）を有し、その平面視のサイズは例えば２５ｍｍ×２５ｍｍである。操作部材３０はロッド部材５が隙間をもって挿通する挿通孔を有し、その挿通孔の中心とナット部材３１の中心とが一致している。尚、操作部材３０の形状、サイズは適宜変更可能である。例えば、操作用ナット部材７を１部材で構成してもよい。
【００３２】
押圧部材６の筒部２２に筒状マグネット８が外嵌されて接着剤で固着され、操作用ナット部材７に設けられたナット部材３１（磁性体製の被吸着部に相当する）に吸着可能に設けられている。マグネット８の上端部は、筒部２２の上端と略同じ高さ位置に位置し、マグネット８の上端部が、ナット部材３１の少なくとも一部（例えばナット部材３１の角部分）に当接し吸着すると、このマグネット８を介して押圧部材６が操作用ナット部材７に保持される。
【００３３】
位置決め部材９は、少なくとも押圧部材６が最高位置（図２に仮想線で示す位置）のときの押圧面２１と同高位置まで延びるようにベース部材４に立設されて、ロッド部材５と実質的に別体に構成され、ファイル対象物Ｐの左端部がロッド部材５の表面に達する前にファイル対象物Ｐの左端部を受け止める上下方向に平滑な受止部４０を有する。
【００３４】
位置決め部材９は、本実施例では鋼製のものであるが、アルミニウム、マクネシウム合金、チタン合金等の金属材料、又は合成樹脂材料、又は硬質厚紙等で構成してもよい。
位置決め部材９は１対の押圧部材６間に位置し、前後方向に間隔をあけて配置された１対の傾斜脚部４０ａとそれら傾斜脚部４０ａの上端を繋ぐ水平部４０ｂとで台形状の門形に形成されている。位置決め部材９の右端面である受止部４０は、ロッド部材５の右端面よりも２，３ｍｍだけ右側に位置するように配置されている。位置決め部材９は、１対の傾斜脚部４０ａの下端から左側へ屈曲し延びる１対の取付け部４１を有し、この１対の取付け部４１がベース板４の上面に溶接されている。受止部４０の曲げ剛性を高めるために、傾斜脚部４０ａと水平部４０ｂの両縁部には、左方へ屈曲したフランジ４２が形成されている。
【００３５】
以上説明したバインダー用金具３及びバインダー３の作用、効果について説明する。
ファイル対象物Ｐを装着する際は、先ず、ベース板４と押圧部材６間の間隔がファイル対象物Ｐの左端部の厚さよりも大きくなるように、操作用ナット部材７を回転操作して高さ調節し、１対のマグネット８により１対の押圧部材６を１対の操作用ナット部材７に夫々保持させる。
【００３６】
この状態で、ファイル対象物Ｐの左端部をベース板４と押圧部材６の間に装着し、ファイル対象物Ｐの左端部を位置決め部材９の受止部４０に当接させて位置決めし、１対の押圧部材６を１対の操作用ナット部材７から保持解除して、ファイル対象物Ｐの上面に当接させた状態で、操作用ナット部材７を手動で締結側へ急回転させて押圧部材６に当接させ、その後操作用ナット部材７を手動で回転駆動することで、押圧部材６の押圧面２１でファイル対象物Ｐを強力に押圧し、ファイル対象物Ｐを迅速にクランプ状態にすることができる。
【００３７】
全部又は一部のファイル対象物Ｐを取り外す際は、操作用ナット部材７を手動で緩めてから、必要に応じてマグネット８により押圧部材６を操作用ナット部材７に保持させて、ファイル対象物Ｐを簡単に迅速に取り外すことができる。押圧部材６をロッド部材５に対して上下に平行に昇降移動可能で且つ少なくともファイル対象物Ｐを押圧する状態では押圧部材６の押圧面２１とロッド部材５のなす角度を直角又はほぼ直角に保持するように構成したので、ファイル対象物Ｐを確実にクランプ状態にすることができ、ファイル対象物Ｐに押圧痕が残ったりすることがない。しかも、ファイル対象物Ｐをクランプする機構が簡単になる。
【００３８】
位置決め部材９の受止部４０でファイル対象物Ｐの左端部を受け止めて位置決めした状態で、ファイル対象物Ｐを押圧することができるから、そのファイル対象物Ｐの押圧の際、ファイル対象物Ｐの左端部が受止部４０に対して相対的に下方移動しても、受止部４０は鉛直であり上下方向に平滑であるためファイル対象物Ｐの左端部が傷つくことがない。  ロッド部材５の全長又は略全長に亙ってその全周に雄ネジ部１０を形成してあっても、そのロッド部材５の雄ネジ部１０によってファイル対象物Ｐが損傷することもない。
この雄ネジ部１０と操作用ナット部材７とによるネジ機構の信頼性を高く維持するとともに、ロッド部材５として既存の量産品の安価なビス部材やボルト等を適用することも可能であるため、ロッド部材５の製作費、このバインダー用金具３の製作費を安価にすることができる。
【００３９】
このバインダー用金具３では、操作用ナット部材７とロッド部材５の雄ネジ部１０とからなるネジ機構で押圧部材６をベース板４の方へ押圧駆動する構成であるので、ネジ機構によって手の指の回転駆動力で十分大きなクランプ力を発生させることができる。それ故、厚いファイル対象物Ｐのファイルに適したバインダー用金具を実現することができる。  しかも、ファイル対象物Ｐを着脱する際の操作も簡単で、迅速に行うことができる。しかも、ロッド部材５を長く構成することも可能であるので、一層厚いファイル対象物Ｐを強力にクランプできるバインダー用金具を実用化することができる。
【００４０】
前記実施例を部分的に変更する例について説明する。
［１］１対の押圧部材６の代わりに、１対のロッド部材５に共通の１つの押圧部材を設けてもよい。この場合の押圧部材には、１対の被案内孔が形成されるとともに、共通の大きな押圧面が形成される。押圧部材を手で支持したり動かす際の操作性が向上する。
［２］マグネット８の代わりに、操作用ナット部材７に固着されマグネット（例えば、磁化されたナット部材３１）を備え、このマグネットが押圧部材６の磁性体の被吸着部に吸着可能に構成してもよい。尚、マグネット８は必須のものではなく省略してもよい。
【００４１】
［３］位置決め部材９のサイズ、形状、材質等については適宜変更可能である。例えば、厚紙製の箱状又は板状の位置決め部材でもよく、合成樹脂製の１つ又は１対の板片状の位置決め部材でもよく、１対のロッド部材５を挟むように１対のロッド部材５の前後方向両側に配置した１対の位置決め部材でもよい。
［４］押圧部材６の押圧面２１とファイル対象物Ｐ間の摩擦力を増すために、押圧面２１を平滑面以外の微小凹凸または梨地模様のある摩擦面に形成することも望ましく、押圧面２１にゴムコート層を形成してもよい。
【００４２】
［５］バインダー用金具３は、必ずしも１対のロッド部材５及び押圧部材６及び操作用ナット部材７を有する必要はなく、ベース板４と位置決め部材９の他に、１個のロッド部材５、１個の押圧部材６、１個の操作用ナット部材７などを設けた構成でもよい。
［６］ロッド部材５をネジ機構で継足し可能な複数の分割ロッド部材で構成してもよい。［７］バインダー１の表紙部材２は、厚手の台紙としての裏側表紙２ｂのみを備えていてもよく、この場合、表紙部材２から表側表紙２ａと背表紙２ｃとを省略可能である。
【００４３】
その他、本考案のバインダー用金具の趣旨を逸脱しない範囲で、当業者ならば種々の変更を加えて実施でき、本考案はそのようなものも包含するものである。
【図面の簡単な説明】
【００４４】
【図１】本考案の実施例に係るバインダー用金具の縦断面図（図２のＩ−Ｉ線断面図）である。
【図２】図１のII矢視図である。
【図３】図１のIII −III 線断面図である。
【図４】操作用ナット部材の下面図である。
【符号の説明】
【００４５】
１  バインダー
２  表紙部材
２ｂ  裏側表紙
３  バインダー用金具
４  ベース板
５  ロッド部材
６  押圧部材
７  操作用ナット部材
８  マグネット
９  位置決め部材
１０  雄ネジ部
２０  被案内孔
２１  押圧面
３１  ナット部材
４０  受止部
Ｐ  ファイル対象物
【図１】
0003144270.tif 000003
【図２】
0003144270.tif 000004
【図３】
0003144270.tif 000005
【図４】
0003144270.tif 000006